(57)【特許請求の範囲】
【請求項１】
シンク装置に接続された無線装置であって、
ソース装置に接続された他の無線装置と、本無線装置との間の無線伝送路特性に関する情報を取得する無線伝送路特性取得部と、
ソース装置に接続された他の無線装置から本無線装置への無線通信の対象となるデータの種類に関する情報を取得する種類情報取得部と、
前記無線伝送路特性取得部において取得した無線伝送路特性に関する情報、前記種類情報取得部が取得したデータの種類に関する情報、無線通信を実行する際に必要となるデータ圧縮処理のデータ圧縮率に関する情報をもとに、シンク装置が使用可能な複数の伝送パラメータ値が示されたテーブルを修正する修正部と、
前記修正部において修正したテーブルを、他の無線装置に接続されたソース装置へ通知する通知部と、
前記通知部において通知したテーブルに示された伝送パラメータ値の範囲において、ソース装置に接続された他の無線装置から本無線装置への無線通信を実行する通信部と、
を備え、
前記修正部は、前記無線伝送路特性取得部において取得した無線伝送路特性に関する情報をもとに、データ圧縮率に関する情報を導出することを特徴とする無線装置。
【請求項２】
ソース装置に接続された無線装置であって、
本無線装置と、シンク装置に接続された他の無線装置との間の無線伝送路特性に関する情報を取得する無線伝送路特性取得部と、
本無線装置から、シンク装置に接続された他の無線装置への無線通信の対象となるデータの種類に関する情報を取得する種類情報取得部と、
前記無線伝送路特性取得部において取得した無線伝送路特性に関する情報、前記種類情報取得部が取得したデータの種類に関する情報、無線通信を実行する際に必要となるデータ圧縮処理のデータ圧縮率に関する情報をもとに、シンク装置が使用可能な複数の伝送パラメータ値が示されたテーブルを修正する修正部と、
前記修正部において修正したテーブルをソース装置へ通知する通知部と、
前記通知部において通知したテーブルに示された伝送パラメータ値の範囲において、本無線装置から、シンク装置に接続された他の無線装置への無線通信を実行する通信部と、
を備え、
前記修正部は、前記無線伝送路特性取得部において取得した無線伝送路特性に関する情報をもとに、データ圧縮率に関する情報を導出することを特徴とする無線装置。
【請求項３】
シンク装置に接続された無線装置での通信方法であって、
ソース装置に接続された他の無線装置と、本無線装置との間の無線伝送路特性に関する情報を取得するステップと、
ソース装置に接続された他の無線装置から本無線装置への無線通信の対象となるデータの種類に関する情報を取得するステップと、
取得した無線伝送路特性に関する情報、取得したデータの種類に関する情報、無線通信を実行する際に必要となるデータ圧縮処理のデータ圧縮率に関する情報をもとに、シンク装置が使用可能な複数の伝送パラメータ値が示されたテーブルを修正するステップと、
修正したテーブルを、他の無線装置に接続されたソース装置へ通知するステップと、
通知したテーブルに示された伝送パラメータ値の範囲において、ソース装置に接続された他の無線装置から本無線装置への無線通信を実行するステップと、
を備え、
前記修正するステップは、取得した無線伝送路特性に関する情報をもとに、データ圧縮率に関する情報を導出することを特徴とする通信方法。
【請求項４】
ソース装置に接続された無線装置での通信方法であって、
本無線装置と、シンク装置に接続された他の無線装置との間の無線伝送路特性に関する情報を取得するステップと、
本無線装置から、シンク装置に接続された他の無線装置への無線通信の対象となるデータの種類に関する情報を取得するステップと、
取得した無線伝送路特性に関する情報、取得したデータの種類に関する情報、無線通信を実行する際に必要となるデータ圧縮処理のデータ圧縮率に関する情報をもとに、シンク装置が使用可能な複数の伝送パラメータ値が示されたテーブルを修正するステップと、
修正したテーブルをソース装置へ通知するステップと、
通知したテーブルに示された伝送パラメータ値の範囲において、本無線装置から、シンク装置に接続された他の無線装置への無線通信を実行するステップと、
を備え、
前記修正するステップは、取得した無線伝送路特性に関する情報をもとに、データ圧縮率に関する情報を導出することを特徴とする通信方法。
【発明の詳細な説明】
【技術分野】
【０００１】
本発明は、通信技術に関し、特に所定の通信規格に準拠した有線通信を置換するための無線通信を実行する無線装置および通信方法に関する。
【背景技術】
【０００２】
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）は、主にデジタル家庭用電化製品向けのインタフェースに関する規格である。ＨＤＭＩは、非圧縮デジタル形式の音声と映像を伝達するので、音質および画質の劣化を抑制できる。また、ＨＤＭＩは、映像・音声・制御信号を一体化させることによって、シングルケーブルの使用を可能にするので、配線が簡略化される。ＨＤＭＩの物理層にはＴ．Ｍ．Ｄ．Ｓ．（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）が採用され、暗号化にはＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）が採用されている。
【０００３】
また、ＨＤＭＩの機器間認証にはＥＤＩＤ（Ｅｘｔｅｎｄｅｄ  ｄｉｓｐｌａｙ  ｉｄｅｎｔｉｆｉｃａｔｉｏｎ  ｄａｔａ）が採用され、系全体の制御系接続にはＣＥＣ（Ｃｏｎｓｕｍｅｒ  Ｅｌｅｃｔｒｏｎｉｃｓ  Ｃｏｎｔｒｏｌ）が採用されている。特に、ＥＤＩＤは、物理アドレスや物理パラメータを設定するために使用される。物理パラメータの一例は、スループットである。ＨＤＭＩに準拠したネットワークでは、例えば、映像信号を提供するためのソース装置と、映像信号を表示するためのシンク装置と、ソース装置とシンク装置とを接続するためのケーブルが含まれる。ネットワークの配線をさらに簡略化されるために、ケーブルの代わりに無線通信の使用が望まれる。例えば、ソース装置とシンク装置のそれぞれに無線アダプタを接続し、無線アダプタ間において無線通信が実行される（例えば、特許文献１参照）。
【先行技術文献】
【特許文献】
【０００４】
【特許文献１】国際公開第０７／０９４３４７号パンフレット
【発明の概要】
【発明が解決しようとする課題】
【０００５】
ＨＤＭＩでは、使用可能なパラメータの値として、スループット値が、ＥＤＩＤに含められてシンク装置からソース装置へ通知される。ソース装置は、ＥＤＩＤに含まれたいずれかのスループット値を使用して映像信号を送信する。このスループット値は、無線アダプタを使用する場合の無線区間にも適用される。しかしながら、無線区間の電波通信状況は時間とともに変動するので、スループット値を実現できない場合がありえる。そのため、電波通信状況が悪化することによって、無線区間の実効スループット値が低下する環境下において、映像信号を安定して伝送することが要求される。
【０００６】
本発明はこうした状況に鑑みてなされたものであり、その目的は、所定の通信規格に準拠した有線通信を置換する無線通信において、電波通信状況に応じた通信を実行する技術を提供することである。
【課題を解決するための手段】
【０００７】
上記課題を解決するために、本発明のある態様の無線装置は、シンク装置に接続された無線装置であって、ソース装置に接続された他の無線装置と、本無線装置との間の無線伝送路特性に関する情報を取得する無線伝送路特性取得部と、ソース装置に接続された他の無線装置から本無線装置への無線通信の対象となるデータの種類に関する情報を取得する種類情報取得部と、無線伝送路特性取得部において取得した無線伝送路特性に関する情報、種類情報取得部が取得したデータの種類に関する情報、無線通信を実行する際に必要となるデータ圧縮処理のデータ圧縮率に関する情報をもとに、シンク装置が使用可能な複数の伝送パラメータ値が示されたテーブルを修正する修正部と、修正部において修正したテーブルを、他の無線装置に接続されたソース装置へ通知する通知部と、通知部において通知したテーブルに示された伝送パラメータ値の範囲において、ソース装置に接続された他の無線装置から本無線装置への無線通信を実行する通信部と、を備える。修正部は、無線伝送路特性取得部において取得した無線伝送路特性に関する情報をもとに、データ圧縮率に関する情報を導出する。
【０００８】
この態様によると、無線伝送路特性をもとに、シンク装置が使用可能な複数の伝送パラメータ値が示されたテーブルを修正してソース装置へ通知するので、所定の通信規格に準拠した有線通信を置換する無線通信において、電波通信状況に応じた通信を実行できる。
【０００９】
本発明の別の態様もまた、無線装置である。この装置は、ソース装置に接続された無線装置であって、本無線装置と、シンク装置に接続された他の無線装置との間の無線伝送路特性に関する情報を取得する無線伝送路特性取得部と、本無線装置から、シンク装置に接続された他の無線装置への無線通信の対象となるデータの種類に関する情報を取得する種類情報取得部と、無線伝送路特性取得部において取得した無線伝送路特性に関する情報、種類情報取得部が取得したデータの種類に関する情報、無線通信を実行する際に必要となるデータ圧縮処理のデータ圧縮率に関する情報をもとに、シンク装置が使用可能な複数の伝送パラメータ値が示されたテーブルを修正する修正部と、修正部において修正したテーブルをソース装置へ通知する通知部と、通知部において通知したテーブルに示された伝送パラメータ値の範囲において、本無線装置から、シンク装置に接続された他の無線装置への無線通信を実行する通信部と、を備える。修正部は、無線伝送路特性取得部において取得した無線伝送路特性に関する情報をもとに、データ圧縮率に関する情報を導出する。
【００１０】
本発明のさらに別の態様は、通信方法である。この方法は、シンク装置に接続された無線装置での通信方法であって、ソース装置に接続された他の無線装置と、本無線装置との間の無線伝送路特性に関する情報を取得するステップと、ソース装置に接続された他の無線装置から本無線装置への無線通信の対象となるデータの種類に関する情報を取得するステップと、取得した無線伝送路特性に関する情報、取得したデータの種類に関する情報、無線通信を実行する際に必要となるデータ圧縮処理のデータ圧縮率に関する情報をもとに、シンク装置が使用可能な複数の伝送パラメータ値が示されたテーブルを修正するステップと、修正したテーブルを、他の無線装置に接続されたソース装置へ通知するステップと、通知したテーブルに示された伝送パラメータ値の範囲において、ソース装置に接続された他の無線装置から本無線装置への無線通信を実行するステップと、を備える。修正するステップは、取得した無線伝送路特性に関する情報をもとに、データ圧縮率に関する情報を導出する。
本発明のさらに別の態様もまた、通信方法である。この方法は、ソース装置に接続された無線装置での通信方法であって、本無線装置と、シンク装置に接続された他の無線装置との間の無線伝送路特性に関する情報を取得するステップと、本無線装置から、シンク装置に接続された他の無線装置への無線通信の対象となるデータの種類に関する情報を取得するステップと、取得した無線伝送路特性に関する情報、取得したデータの種類に関する情報、無線通信を実行する際に必要となるデータ圧縮処理のデータ圧縮率に関する情報をもとに、シンク装置が使用可能な複数の伝送パラメータ値が示されたテーブルを修正するステップと、修正したテーブルをソース装置へ通知するステップと、通知したテーブルに示された伝送パラメータ値の範囲において、本無線装置から、シンク装置に接続された他の無線装置への無線通信を実行するステップと、を備える。修正するステップは、取得した無線伝送路特性に関する情報をもとに、データ圧縮率に関する情報を導出する。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、所定の通信規格に準拠した有線通信を置換する無線通信において、電波通信状況に応じた通信を実行できる。
【図面の簡単な説明】
【００１３】
【図１】本発明の実施例に係る通信システムの構成を示す図である。
【図２】図１の決定部に記憶されたテーブルのデータ構造を示す図である。
【図３】図３（ａ）−（ｂ）は、図１の修正部において処理されるＥＤＩＤのデータ構造を示す図である。
【図４】図１の通信システムによる動画像データの伝送手順を示すシーケンス図である。
【図５】図１の第１無線装置による動画像データの伝送手順を示すフローチャートである。
【図６】図１の第２無線装置による動画像データの伝送手順を示すフローチャートである。
【発明を実施するための形態】
【００１４】
本発明を具体的に説明する前に、まず概要を述べる。本発明の実施例は、ＨＤＭＩに対応したソース装置とシンク装置が含まれた通信システムに関する。また、本実施例においては、ソース装置に第１無線装置が接続され、シンク装置に第２無線装置が接続されており、第１無線装置と第２無線装置との間において無線通信が実行される。このように第１無線装置と第２無線装置とが追加された場合であっても、ＨＤＭＩに対応するためには、ＥＤＩＤによる解像度等の制御がシンク装置においてなされる必要がある。
【００１５】
無線通信では、一般的に電波通信状況が変動する。電波通信状況が悪化すると、無線通信のスループットが低下するので、ビデオ圧縮のコーデックの圧縮率を増加させる必要がある。さらに、電波通信状況が著しく悪化する場合において、無線通信のスループットが極端に減少し、ビデオ圧縮コーデックの圧縮率も限界付近になると、ブラックアウトや映像のフリーズが発生しやすくなる。そのような状況の発生を抑制するために、電波通信状況に応じたＥＤＩＤの使用が望ましい。一方、ＨＤＭＩに対応している限り、シンク装置による電波通信状況の把握は困難である。ＨＤＭＩに対応しながら、電波通信状況に応じたＥＤＩＤを使用するために、本実施例に係る第１無線装置および第２無線装置は、次の処理を実行する。
【００１６】
第１無線装置から送信されたスループット確認用データを受信することによって、第２無線装置は、電波通信状況を測定する。第２無線装置は、電波通信状況をもとに、シンク装置からのＥＤＩＤにて示された複数のスループットのうち、使用可能なスループットを決定する。また、第２無線装置は、ＥＤＩＤにて示された複数のスループットから、使用不可能なスループットを削除するように、ＥＤＩＤを修正する。さらに、第２無線装置は、第１無線装置を介して、ソース装置へＥＤＩＤを送信する。ソース装置は、ＥＤＩＤにしたがって、第１無線装置、第２無線装置を介してシンク装置へ映像信号を送信する。つまり、無線通信状況に応じて、シンク装置からのＥＤＩＤを修正してからソース装置に使用させることによって、ＨＤＭＩへの対応が維持される。
【００１７】
図１は、本発明の実施例に係る通信システム１００の構成を示す。通信システム１００は、無線装置１０と総称される第１無線装置１０ａ、第２無線装置１０ｂ、ソース装置１２、シンク装置１４を含む。また、第１無線装置１０ａは、受付部１８、インタフェース部２０、符号化部２２、処理部２４、変復調部２６、ＲＦ部２８を含み、第２無線装置１０ｂは、インタフェース部３０、復号部３２、処理部３４、変復調部３６、ＲＦ部３８を含む。また、処理部３４は、無線伝送路特性取得部４０、種類情報取得部４２、決定部４４、修正部４６、通知部４８を含む。
【００１８】
ソース装置１２は、ＨＤＭＩに対応しながら、映像信号を送信する。ここで、映像信号には、動画像データや音声データが含まれている。以下では、映像信号、動画像データ、音声データを明確に区別せずに使用する。シンク装置１４は、ＨＤＭＩに対応しながら、映像信号を受信するとともに、映像信号を再生して表示する。そのため、シンク装置１４は、モニタ機能を含む。第１無線装置１０ａは、ＨＤＭＩに対応したケーブルによってソース装置１２に接続され、第２無線装置１０ｂは、ＨＤＭＩに対応したケーブルによってシンク装置１４に接続される。
【００１９】
処理部２４は、ソース装置１２がＥＤＩＤを受信する前の段階において、第２無線装置１０ｂに電波通信状況を測定させるためのスループット確認用データを変復調部２６へ出力する。スループット確認用データは、第２無線装置１０ｂにとってパターンが既知の信号であり、トレーニング信号に相当する。また、処理部２４は、スループット確認用データを予め記憶する。変復調部２６は、処理部２４からのスループット確認用データを入力し、スループット確認用データを変調する。変復調部２６は、変調したスループット確認用データ（以下、これもまた「スループット確認用データ」という）をＲＦ部２８へ出力する。ＲＦ部２８は、変復調部２６からのスループット確認用データを無線周波数へ周波数変換するとともに、増幅し、無線周波数のスループット確認用データ（以下、これもまた「スループット確認用データ」という）をアンテナから送信する。
【００２０】
ＲＦ部３８は、第１無線装置１０ａからのスループット確認用データをアンテナにて受信する。ＲＦ部３８は、受信したスループット確認用データを中間周波数へ周波数変換して、中間周波数のスループット確認用データ（以下、これもまた「スループット確認用データ」という）を変復調部３６へ出力する。変復調部３６は、ＲＦ部３８からのスループット確認用データを復調し、復調したスループット確認用データ（以下、これもまた「スループット確認用データ」という）を処理部３４へ出力する。
【００２１】
処理部３４のうちの無線伝送路特性取得部４０は、スループット確認用データをもとに電波通信状況を測定する。具体的には、無線伝送路特性取得部４０は、スループット確認用データに対する誤り率を測定する。誤り率には、ＢＥＲ（Ｂｉｔ  Ｅｒｒｏｒ  Ｒａｔｅ）、ＰＥＲ（Ｐａｃｋｅｔ  Ｅｒｒｏｒ  Ｒａｔｅ）があるが、これらを測定するために、第１無線装置１０ａから複数のスループット確認用データが送信されてもよい。誤り率を測定するために、無線伝送路特性取得部４０は、変復調部３６からのスループット確認用データと、予め記憶したスループット確認用データとを比較する。無線伝送路特性取得部４０は、測定した誤り率を電波通信状況として決定部４４へ出力する。なお、無線伝送路特性取得部４０は、ＣＮＲ（Ｃａｒｒｉｅｒ  ｔｏ  Ｎｏｉｓｅ  Ｒａｔｉｏ）や電界強度等を測定して、これらを電波通信状況としてもよい。つまり、無線伝送路特性取得部４０は、第１無線装置１０ａと第２無線装置１０ｂとの間の無線伝送路特性を取得する。
【００２２】
決定部４４は、無線伝送路特性取得部４０からの電波通信状況に関する情報を入力する。決定部４４は、電波通信状況に関する情報としきい値とを比較して、第１無線装置１０ａと第２無線装置１０ｂとの間において使用可能な無線伝送スループットを決定する。決定部４４は、複数のしきい値をテーブルの形式にて記憶する。図２は、決定部４４に記憶されたテーブルのデータ構造を示す。図示のごとく、しきい値欄２００、無線伝送スループット欄２０２が含まれる。しきい値欄２００では、Ｃ１からＣＬのような複数のしきい値が示される。電波通信状況が誤り率である場合、しきい値は誤り率として規定される。
【００２３】
無線伝送スループット欄２０２では、各しきい値に対応した無線伝送スループットが示される。なお、通信システム１００では、複数の無線伝送スループットが規定されている。また、ひとつの無線伝送スループット、例えば、「Ｄ１」には、使用可能な無線伝送スループットが複数含まれてもよい。悪化した電波通信状況に対応したしきい値ほど、低速な無線伝送スループットのみに対応する。図１に戻る。電波通信状況が誤り率である場合、決定部４４は、しきい値欄２００に含まれた複数のしきい値のそれぞれと、誤り率とを比較し、誤り率よりも大きくなっているしきい値のうち、最も小さいしきい値を特定する。また、決定部４４は、特定したしきい値に対応した無線伝送スループットを特定する。決定部４４は、特定した無線伝送スループットを修正部４６へ出力する。
【００２４】
ソース装置１２から送信すべき映像信号のモードとして、複数種類のモードが規定されている。受付部１８は、ユーザから、使用すべき映像信号のモードの情報を受けつける。ここでは、複数種類の映像信号モードとして、ゲームモードと高解像度モードが規定されており、受付部１８は、ゲームモードあるいは高解像度モードに関する情報を受けつける。例えば、ゲームモードでは、映像遅延を最小限にするために、解像度より映像遅延を下げることを優先させる目的で、動画圧縮率の最上限が下げられる。その結果、演算時間が短縮される。一方、高解像度モードでは、解像度を優先するために、映像遅延を無視しても最大限高解像度の映像を優先させる目的で、動画圧縮率の最上限がゲームモードよりも上げられる。このような使用すべき映像信号のモードの情報は、無線通信の対象となるデータの種類に関する情報ともいえる。受付部１８は、受けつけた映像信号のモードの情報（以下、「動画像モード選択情報」という）を処理部２４へ出力する。
【００２５】
処理部２４は、スループット確認用データと同様に、動画像モード選択情報を変復調部２６へ出力する。変復調部２６は、スループット確認用データと同様に、動画像モード選択情報を変調し、変調した動画像モード選択情報（以下、これもまた「動画像モード選択情報」という）をＲＦ部２８へ出力する。ＲＦ部２８は、スループット確認用データと同様に、無線周波数の動画像モード選択情報（以下、これもまた「動画像モード選択情報」という）をアンテナから送信する。
【００２６】
ＲＦ部３８は、スループット確認用データと同様に、第１無線装置１０ａからの動画像モード選択情報をアンテナにて受信し、中間周波数の動画像モード選択情報（以下、これもまた「動画像モード選択情報」という）を変復調部３６へ出力する。変復調部３６は、スループット確認用データと同様に、復調した動画像モード選択情報（以下、これもまた「動画像モード選択情報」という）を処理部３４へ出力する。種類情報取得部４２は、変復調部３６から、動画像モード選択情報を取得する。種類情報取得部４２は、動画像モード選択情報を修正部４６へ出力する。
【００２７】
修正部４６は、決定部４４からの無線伝送スループットを入力するとともに、種類情報取得部４２からの動画像モード選択情報を入力する。修正部４６は、無線伝送スループットをもとに、映像信号を伝送するために必要な動画圧縮率および可能ビデオ伝送スループットを導出する。ここでは、この処理を具体的に説明する。可能ビデオ伝送スループットとは、ソース装置１２からシンク装置１４へ伝送可能な映像信号のスループットである。これは、非圧縮処理の状態における動画像データのスループットといえる。前述の高解像度モードでは、ゲームモードよりも、高い可能ビデオ伝送スループットが望まれる。
【００２８】
動画圧縮率は、可能ビデオ伝送スループットの映像信号を無線伝送スループットにて伝送するために、映像信号を圧縮する際の圧縮率である。動画圧縮率は、可能ビデオ伝送スループット／無線伝送スループットによって導出される。前述のゲームモードでは、高解像度モードよりも、低い動画圧縮率が望まれる。決定部４４から複数の無線伝送スループットを入力した場合、修正部４６は、各無線伝送スループットに対応した動画圧縮率および可能ビデオ伝送スループットを導出する。なお、無線伝送スループットに対して、動画圧縮率および可能ビデオ伝送スループットが一意的に特定される場合、これらの関係をテーブルとして記憶しておけば、修正部４６は、計算を実行せずに、無線伝送スループットから、動画圧縮率および可能ビデオ伝送スループットを特定できる。
【００２９】
その後、修正部４６は、インタフェース部３０を介して、ＨＤＭＩ規格にしたがってシンク装置１４へＥＤＩＤ要求信号を送信する。その後、修正部４６は、インタフェース部３０を介して、シンク装置１４からＥＤＩＤを受信する。ＥＤＩＤには、シンク装置１４において使用可能なスループットの値が、少なくともひとつ示されている。なお、ＥＤＩＤは、テーブル形式にて構成されている。ここでは、スループットの値が可能ビデオ伝送スループットであるとする。
【００３０】
修正部４６は、動画像モード選択情報をもとに、ＥＤＩＤを修正する。ゲームモードでは低い動画圧縮率が望まれるので、動画像モード選択情報がゲームモードである場合、修正部４６は、ＥＤＩＤに含まれた複数の可能ビデオ伝送スループットのうち、高い動画圧縮率に対応した可能ビデオ伝送スループットを削除する。一方、高解像度モードでは解像度が優先されるので、動画像モード選択情報が高解像度モードである場合、修正部４６は、ＥＤＩＤに含まれた複数の可能ビデオ伝送スループットのうち、解像度の低い可能ビデオ伝送スループットを削除する。
【００３１】
これらの処理によって、もとのＥＤＩＤから、ゲームモード用ＥＤＩＤあるいは高解像度モード用ＥＤＩＤが生成される。以下では、ゲームモード用ＥＤＩＤおよび高解像度モード用ＥＤＩＤもまた、「ＥＤＩＤ」と総称される。以上の処理に続いて、修正部４６は、ＥＤＩＤに含まれた可能ビデオ伝送スループットと、無線伝送スループットから特定された可能ビデオ伝送スループットとを比較する。修正部４６は、後者とは異なった可能ビデオ伝送スループットをＥＤＩＤから削除することによって、ＥＤＩＤを修正する。
【００３２】
つまり、修正部４６は、電波通信状況をもとに、ＥＤＩＤから、使用不可能な可能ビデオ伝送スループットを削除することによって、ＥＤＩＤを修正する。これは、電波通信状況が悪いために、ＥＤＩＤに含まれた可能ビデオ伝送スループットをシンク装置１４が表示できない場合に相当する。また、このような修正処理は、動画像モード選択情報に応じて、データの種類ごとに規定されたＥＤＩＤに対してなされる。一方、後者とは異なった可能ビデオ伝送スループットがＥＤＩＤに含まれていない場合、修正部４６は、ＥＤＩＤをそのままにする。
【００３３】
図３（ａ）−（ｂ）は、修正部４６において処理されるＥＤＩＤのデータ構造を示す。図３（ａ）は、ゲームモード用ＥＤＩＤに相当し、図３（ｂ）は、高解像度モード用ＥＤＩＤに相当する。また、これらは、無線伝送スループットから特定された可能ビデオ伝送スループットによる修正がなされた結果に相当する。図示のごとく、ゲームモード用ＥＤＩＤと高解像度モード用ＥＤＩＤとには、ＩＤ欄２１０、有効画素数欄２１２、可能ビデオ伝送スループット欄２１４、必要データ削減量欄２１６、無線伝送スループット欄２１８が含まれる。ＩＤ欄２１０には、ＥＤＩＤに含まれた複数の可能ビデオ伝送スループットを識別するための番号が示される。
【００３４】
有効画素数欄２１２には、動画像の有効画素数が示される。必要データ削減量欄２１６には、圧縮率が示される。圧縮率の値が小さいほど、圧縮率が高いといえる。図示のごとく、ゲームモードでは低い動画圧縮率が望まれるので、図３（ａ）での必要データ削減量欄２１６の最小値は、図３（ｂ）での必要データ削減量欄２１６の最小値よりも大きい。また、高解像度モードでは解像度が優先されるので、図３（ｂ）での有効画素数欄２１２の最小値は、図３（ａ）での有効画素数欄２１２の最小値よりも大きい。図１に戻る。修正部４６は、ＥＤＩＤを通知部４８へ出力する。
【００３５】
通知部４８は、修正部４６からのＥＤＩＤを入力する。通知部４８は、ＥＤＩＤをソース装置１２へ通知するために、ＥＤＩＤを変復調部３６へ出力する。変復調部３６は、通知部４８からのＥＤＩＤを入力すると、ＥＤＩＤを変調し、変調したＥＤＩＤ（以下、これもまた「ＥＤＩＤ」という）をＲＦ部３８へ出力する。ＲＦ部３８は、変復調部３６からのＥＤＩＤを無線周波数へ周波数変換するとともに、増幅し、無線周波数のＥＤＩＤ（以下、これもまた「ＥＤＩＤ」という）をアンテナから送信する。
【００３６】
ＲＦ部２８は、第２無線装置１０ｂからのＥＤＩＤをアンテナにて受信する。ＲＦ部２８は、受信したＥＤＩＤを中間周波数へ周波数変換して、中間周波数のＥＤＩＤ（以下、これもまた「ＥＤＩＤ」という）を変復調部２６へ出力する。変復調部２６は、ＲＦ部２８からのＥＤＩＤを復調し、復調したＥＤＩＤ（以下、これもまた「ＥＤＩＤ」という）を処理部２４へ出力する。処理部２４は、インタフェース部２０を介してソース装置１２へＥＤＩＤを出力する。
【００３７】
ソース装置１２は、ＥＤＩＤに示された可能ビデオ伝送スループットの範囲において映像信号を生成し、生成した映像信号をインタフェース部２０へ出力する。この処理には公知の技術が使用されればよいので、ここでは説明を省略する。インタフェース部２０は、映像信号を符号化部２２へ出力する。符号化部２２は、インタフェース部２０からの映像信号を符号化し、処理部２４を介して、符号化した映像信号（以下、これもまた「映像信号」という）を変復調部２６へ出力する。変復調部２６、ＲＦ部２８は、これまでと同様の処理を実行することによって、無線周波数の映像信号（以下、これもまた「映像信号」という）をアンテナから送信する。
【００３８】
ＲＦ部３８は、第１無線装置１０ａからの映像信号を受信する。ＲＦ部３８、変復調部３６は、これまで同様の処理を実行することによって、処理部３４を介して、復調した映像信号を復号部３２へ出力する。復号部３２は、映像信号を復号し、復号した映像信号（以下、これもまた「映像信号」という）をインタフェース部３０経出力する。インタフェース部３０は、復号部３２からの映像信号をシンク装置１４へ出力する。シンク装置１４は、映像をモニタ等に表示する。つまり、ＲＦ部２８やＲＦ部３８等は、通知部４８において通知したＥＤＩＤに示された可能ビデオ伝送スループットの範囲において、ソース装置１２からシンク装置１４への無線通信を実行する。
【００３９】
なお、ソース装置１２からシンク装置１４へ映像信号を送信しているときに、電波通信状況が変化することによって、無線伝送スループットに変化が生じることがありえる。その際、可能ビデオ伝送スループットにも変化が生じる。その結果、ＥＤＩＤの再修正が必要になる。無線伝送路特性取得部４０および決定部４４が、第１無線装置１０ａから適宜送信されるスループット確認用データをもとに電波通信状況の変動を検出すると、インタフェース部３０を介して、その旨をシンク装置１４へ出力する。シンク装置１４は、「ビデオフォーマット情報を書き換え中しばらくおまちください。」のメッセージを表示し、第２無線装置１０ｂへＥＤＩＤを送信する。第２無線装置１０ｂは、これまで処理を繰り返し実行することによって、ＥＤＩＤを再び修正する。
【００４０】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４１】
以上の構成による通信システム１００の動作を説明する。図４は、通信システム１００による動画像データの伝送手順を示すシーケンス図である。第１無線装置１０ａは、第２無線装置１０ｂへスループット確認用データを送信する（Ｓ１０）。第１無線装置１０ａは、第２無線装置１０ｂへ動画像モード選択情報を送信する（Ｓ１２）。第２無線装置１０ｂは、可能ビデオ伝送スループットを決定する（Ｓ１４）。シンク装置１４は、第２無線装置１０ｂへＥＤＩＤ情報を送信する（Ｓ１６）。第２無線装置１０ｂは、ＥＤＩＤ情報を修正する（Ｓ１８）。
【００４２】
第２無線装置１０ｂは、第１無線装置１０ａへＥＤＩＤ情報を送信する（Ｓ２０）。第１無線装置１０ａは、ソース装置１２へＥＤＩＤ情報を送信する（Ｓ２２）。ソース装置１２は、可能ビデオ伝送スループットを選択する（Ｓ２４）。ソース装置１２は、第１無線装置１０ａへ映像信号を送信する（Ｓ２６）。第１無線装置１０ａは、第２無線装置１０ｂへ映像信号を送信する（Ｓ２８）。第２無線装置１０ｂは、シンク装置１４へ映像信号を送信する（Ｓ３０）。シンク装置１４は、映像を表示する（Ｓ３２）。
【００４３】
図５は、第１無線装置１０ａによる動画像データの伝送手順を示すフローチャートである。処理部２４は、変復調部２６、ＲＦ部２８を介して、スループット確認用データを送信する（Ｓ５０）。受付部１８は、動画像モード選択情報を受けつける（Ｓ５２）。処理部２４は、変復調部２６、ＲＦ部２８を介して、動画像モード選択情報を送信する（Ｓ５４）。処理部２４は、ＲＦ部２８、変復調部２６を介してＥＤＩＤ情報を受信しなければ（Ｓ５６のＮ）、待機する。
【００４４】
一方、処理部２４は、ＲＦ部２８、変復調部２６を介してＥＤＩＤ情報を受信すれば（Ｓ５６のＹ）、インタフェース部２０を介してＥＤＩＤ情報を送信する（Ｓ５８）。処理部２４は、インタフェース部２０、符号化部２２を介して映像信号を受信しなければ（Ｓ６０のＮ）、待機する。処理部２４は、インタフェース部２０、符号化部２２を介して映像信号を受信すれば（Ｓ６０のＹ）、変復調部２６、ＲＦ部２８を介して映像信号を送信する（Ｓ６２）。
【００４５】
図６は、第２無線装置１０ｂによる動画像データの伝送手順を示すフローチャートである。無線伝送路特性取得部４０は、ＲＦ部３８、変復調部３６を介してスループット確認用データを受信しなければ（Ｓ８０のＮ）、待機する。無線伝送路特性取得部４０が、ＲＦ部３８、変復調部３６を介してスループット確認用データを受信すれば（Ｓ８０のＹ）、決定部４４は、無線伝送スループットを決定する（Ｓ８２）。種類情報取得部４２は、ＲＦ部３８、変復調部３６を介して動画像モード選択情報を受信しなければ（Ｓ８４のＮ）、待機する。種類情報取得部４２が、ＲＦ部３８、変復調部３６を介して動画像モード選択情報を受信すれば（Ｓ８４のＹ）、修正部４６は、可能ビデオ伝送スループットを決定する（Ｓ８６）。
【００４６】
修正部４６は、インタフェース部３０を介してＥＤＩＤ情報を取得する（Ｓ８８）。ＥＤＩＤ情報に修正が必要であれば（Ｓ９０のＹ）、修正部４６は、ＥＤＩＤ情報を修正する（Ｓ９２）。一方、ＥＤＩＤ情報に修正が必要でなければ（Ｓ９０のＮ）、ステップ９２をスキップする。通知部４８は、変復調部３６、ＲＦ部３８を介してＥＤＩＤ情報を送信する（Ｓ９４）。処理部３４は、ＲＦ部３８、変復調部３６を介して映像信号を受信しなければ（Ｓ９６のＮ）、待機する。処理部３４は、ＲＦ部３８、変復調部３６を介して映像信号を受信すれば（Ｓ９６のＹ）、復号部３２、インタフェース部３０を介して映像信号を送信する（Ｓ９８）。
【００４７】
本発明の実施例によれば、電波通信状況をもとに、シンク装置が使用可能な複数の可能ビデオ伝送スループットが示されたＥＤＩＤを修正してソース装置へ通知するので、ＨＤＭＩに準拠した有線通信を置換する無線通信において、電波通信状況に応じた通信を実行できる。また、データの種類ごとに異なった組合せの可能ビデオ伝送スループットが示されたＥＤＩＤに対して修正処理を実行するので、動画像モード選択情報に応じた可能ビデオ伝送スループットを使用できる。また、スループット確認用データを適時監視するので、電波通信状況が悪化しても、画像が表示されない等の状況の発生頻度を低減できる。また、画像が表示されない等の状況の発生頻度が低減されるので、無線画像・音声伝送を安定して実行できる。また、電波通信状況が悪化した場合であっても、変調方式を固定にするので、変調方式の変更による受信性能悪化や通信距離短縮等の影響を回避できる。
【００４８】
また、ＨＤＭＩ規格に準拠したソース装置とシンク装置の間に、無線装置を挿入するだけで、電波通信状況に応じたＥＤＩＤの修正を実行するので、ＨＤＭＩ規格に適合した無線通信を簡易に実行できる。また、修正したＥＤＩＤをソース装置に通知するので、ソース装置に安定したＥＤＩＤを選択させることができる。また、ソース装置が、安定したＥＤＩＤを選択するので、シンク装置における映像破綻等の発生を抑制できる。また、ＨＤＭＩインタフェースを具備したソース装置とシンク装置であれば、一切変更・改修することなく、無線装置を導入することによって、無線通信を実現できる。通信システムにおいて、動画圧縮率に対して、ゲームモードや高解像度モードが選択されるので、ユーザの要望に応じた低遅延映像や高解像度映像を取得できる。
【００４９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５０】
本発明の実施例において、第２無線装置１０ｂがＥＤＩＤを修正している。しかしながらこれに限らず例えば、第１無線装置１０ａがＥＤＩＤを修正してもよい。その際、種類情報取得部４２、決定部４４、修正部４６、通知部４８は、第１無線装置１０ａに含まれる。第２無線装置１０ｂの無線伝送路特性取得部４０は、電波通信状況を取得すると、これを第１無線装置１０ａへ送信する。なお、無線伝送路特性取得部４０も第１無線装置１０ａに含まれてもよい。その際、第２無線装置１０ｂから第１無線装置１０ａへの電波通信状況が、第１無線装置１０ａから第２無線装置１０ｂへの電波通信状況に等しいとして処理が実行される。本変形例によれば、第２無線装置１０ｂの構成を簡易にできる。
【００５１】
本発明の実施例において、通信システム１００は、ゲームモードと高解像度モードとのふたつのモードを規定している。しかしながらこれに限らず例えば、３つ以上のモードが規定されてもよい。本変形例によれば、可能ビデオ伝送スループットを詳細に設定できる。
【００５２】
本発明の実施例において、第１無線装置１０ａと第２無線装置１０ｂとは、異なった構成を有する。しかしながらこれに限らず例えば、第１無線装置１０ａの構成と第２無線装置１０ｂの構成とを含むように、無線装置１０が構成されてもよい。その際、無線装置１０には、第１無線装置１０ａに対応した動作を実行するか、第２無線装置１０ｂに対応した動作を実行するかを選択するためのスイッチが設けられる。本変形例によれば、１種類の無線装置１０によって、ＨＤＭＩを無線化できる。
【符号の説明】
【００５３】
１０  無線装置、  １２  ソース装置、  １４  シンク装置、  １８  受付部、  ２０  インタフェース部、  ２２  符号化部、  ２４  処理部、  ２６  変復調部、  ２８  ＲＦ部、  ３０  インタフェース部、  ３２  復号部、  ３４  処理部、  ３６  変復調部、  ３８  ＲＦ部、  ４０  無線伝送路特性取得部、  ４２  種類情報取得部、  ４４  決定部、  ４６  修正部、  ４８  通知部、  １００  通信システム。
【図１】
0005482629.tif 000002
【図２】
0005482629.tif 000003
【図３】
0005482629.tif 000004
【図４】
0005482629.tif 000005
【図５】
0005482629.tif 000006
【図６】
0005482629.tif 000007